(57)【要約】 【課題】  精度が高められたズームレンズを提供する。【解決手段】  レンズ前群１１１を構成する第１のサブレンズ群１１１＿１と第２のサブレンズ群１１１＿２との間にシャッタ１３０を配置するとともに、第１のサブレンズ群１１１＿１を保持する第１のレンズ枠１４１と第２のサブレンズ群１１１＿２を保持する第２のレンズ枠１４２との双方を、直接に移動筒１２１に支持するとともに、第２のレンズ枠１４２の凸部を、溝１２１ｄの奥側に連結しその溝１２１ｄが回転方向に折れ曲がった形状を形成する凹部に嵌入することにより、第２のレンズ枠１４２を移動筒１２１に支持した。【選択図】  図３
2007193212.tif 000002
【特許請求の範囲】
【請求項１】
複数のレンズ群からなる撮影レンズと、該撮影レンズを保持して伸縮し該撮影レンズの焦点距離を変化させるレンズ鏡胴とを有するズームレンズにおいて、
前記複数のレンズ群を構成する所定のレンズを保持する第１のレンズ枠と、
前記第１のレンズ枠を支持する第１の鏡胴部材を含む複数の鏡胴部材とを備え、
前記第１の鏡胴部材が、他の第２の鏡胴部材が嵌合して該第１の鏡胴部材の光軸方向の移動を許可するとともに回転を禁止する、光軸方向に延び一端が該第１の鏡胴部材の端に達するキー溝と、該キー溝の奥側に連絡し該キー溝が回転方向に折れ曲がった形状を形成する凹部とを有し、
前記第１のレンズ枠が、前記キー溝に前記一端から嵌入し奥に移動して前記凹部に嵌入する凸部を有し、該凸部が前記凹部に嵌入することにより該第１のレンズ枠が前記第１の鏡胴部材に支持されてなることを特徴とするズームレンズ。
【請求項２】
前記撮影レンズを構成する複数のレンズ群のうちの１つのレンズ群が第１のサブレンズ群と第２のサブレンズ群との２つのサブレンズ群からなり、
前記第１のレンズ枠が前記第１のサブレンズ群を保持するものであって、さらに
前記２つのサブレンズ群の間に配置されたシャッタと、
前記第２のサブレンズ群を保持する第２のレンズ枠とを備え、
前記第１の鏡胴部材が、前記第１のレンズ枠と前記第２のレンズ枠との双方を直接に支持するものであることを特徴とする請求項１記載のズームレンズ。
【請求項３】
前記シャッタが、前記第１のレンズ枠と前記第２のレンズ枠とのうちのいずれか一方のレンズ枠に支持されたものであることを特徴とする請求項２記載のズームレンズ。
【発明の詳細な説明】
【技術分野】
【０００１】
本発明は、複数のレンズ群からなる撮影レンズと、その撮影レンズを保持して伸縮しその撮影レンズの焦点距離を変化させるレンズ鏡胴とを有するズームレンズに関する。
【背景技術】
【０００２】
従来より、ロール状の写真フイルム上に写真撮影を行なうコンパクトフイルムカメラ、被写体光を撮像素子で捉えて画像信号を生成するデジタルカメラ、携帯電話に搭載されるカメラ、あるいは動画を撮影するビデオカメラ等の光学機器には、ズームレンズを備えたものがある。それらの光学機器に備えられたズームレンズは大きくは２つの機能を有しており、そのうちの１つは焦点距離を変倍することにより像倍率を変倍するズーミング機能であり、もう１つはピントの合った像を形成するための焦点調節（ピント調節）機能である。これら２つの機能は、いずれも、ズームレンズを構成する複数のレンズ群全体あるいは一部を光軸方向に移動させることにより実現される。これら複数のレンズ群のうちの１つのレンズ群はレンズ枠で保持されてシャッタに取り付けられており、さらにそのシャッタは、レンズ鏡胴を構成する、光軸方向に移動する移動筒に取り付けられている（例えば、特許文献１参照）。
【特許文献１】特開２０００−３２１４７８号公報
【発明の開示】
【発明が解決しようとする課題】
【０００３】
上述したように、従来のズームレンズでは、複数のレンズ群のうちの１つのレンズ群がレンズ枠で保持されてシャッタに取り付けられており、さらにそのシャッタがレンズ鏡胴を構成する移動筒に取り付けられている。このため、従来のズームレンズでは、ズームレンズを製造するにあたり、レンズ群をレンズ枠で保持してシャッタに取り付ける工程において生じる取付け寸法誤差と、さらにそのシャッタを移動筒に取り付ける工程において生じる取付け寸法誤差との双方の誤差を有する。従って、レンズ群の、光軸方向に対する傾きや光軸とのズレを小さく抑えることは困難であり、ズームレンズの精度が低いという問題がある。
【０００４】
本発明は、上記事情に鑑み、精度が高められたズームレンズを提供することを目的とする。
【課題を解決するための手段】
【０００５】
上記目的を達成する本発明のズームレンズは、複数のレンズ群からなる撮影レンズと、その撮影レンズを保持して伸縮しその撮影レンズの焦点距離を変化させるレンズ鏡胴とを有するズームレンズにおいて、
上記複数のレンズ群を構成する所定のレンズを保持する第１のレンズ枠と、
上記第１のレンズ枠を支持する第１の鏡胴部材を含む複数の鏡胴部材とを備え、
上記第１の鏡胴部材が、他の第２の鏡胴部材が嵌合してその第１の鏡胴部材の光軸方向の移動を許可するとともに回転を禁止する、光軸方向に延び一端がその第１の鏡胴部材の端に達するキー溝と、そのキー溝の奥側に連絡しそのキー溝が回転方向に折れ曲がった形状を形成する凹部とを有し、
上記第１のレンズ枠が、上記キー溝に上記一端から嵌入し奥に移動して上記凹部に嵌入する凸部を有し、その凸部が上記凹部に嵌入することによりその第１のレンズ枠が上記第１の鏡胴部材に支持されてなることを特徴とする。
【０００６】
本発明のズームレンズは、第１のレンズ枠を支持する第１の鏡胴部材が、他の第２の鏡胴部材が嵌合して第１の鏡胴部材の光軸方向の移動を許可するとともに回転を禁止するキー溝と、そのキー溝の奥側に連絡しそのキー溝が回転方向に折れ曲がった形状を形成する凹部とを有し、第１のレンズ枠の凸部が上記凹部に嵌入することにより第１のレンズ枠が第１の鏡胴部材に支持されてなる構成である。このため、第１のレンズ枠を支持する第１の鏡胴部材の、上記キー溝以外の部分に、レンズ枠を支持するための空隙部分を設ける必要はなく、従って第１の鏡胴部材および第２の鏡胴部材の強度の低下を抑えたまま、組立精度が高く且つ小型のズームレンズを提供することができる。
【０００７】
ここで、上記撮影レンズを構成する複数のレンズ群のうちの１つのレンズ群が第１のサブレンズ群と第２のサブレンズ群との２つのサブレンズ群からなり、
上記第１のレンズ枠が上記第１のサブレンズ群を保持するものであって、さらに
上記２つのサブレンズ群の間に配置されたシャッタと、
上記第２のサブレンズ群を保持する第２のレンズ枠とを備え、
上記第１の鏡胴部材が、上記第１のレンズ枠と上記第２のレンズ枠との双方を直接に支持するものであることが好ましい。
【０００８】
このように、１つのレンズ群を構成する第１のサブレンズ群と第２のサブレンズ群との間にシャッタが配置されるとともに、その第１のサブレンズ群を保持する第１のレンズ枠とその第２のサブレンズ群を保持する第２のレンズ枠との双方が、直接に上記第１の鏡胴部材に支持されてなる構成であると、ズームレンズを製造するにあたり、シャッタが配置された第１，第２のサブレンズ群を保持する第１，第２のレンズ枠を直接に第１の鏡胴部材に支持する工程のみで済む。従って、従来の、レンズ群をレンズ枠で保持してシャッタに取り付ける工程と、そのシャッタを鏡胴部材である移動筒に取り付ける工程とが必要とされる技術と比較し、レンズ群の、光軸方向に対する傾きや光軸とのズレを小さく抑えることができ、精度の高いズームレンズを提供することができる。
【０００９】
また、上記シャッタが、上記第１のレンズ枠と上記第２のレンズ枠とのうちのいずれか一方のレンズ枠に支持されたものであることも好ましい。
【００１０】
このように、シャッタをいずれか一方のレンズ枠に支持する構成を採用すると、レンズ群の、光軸方向に対する傾きや光軸とのズレを小さく抑えたまま、ズームレンズの組立工程を簡素化することができる。
【発明の効果】
【００１１】
本発明によれば、精度の高いズームレンズを提供することができる。
【発明を実施するための最良の形態】
【００１２】
以下、本発明の実施の形態について説明する。
【００１３】
図１は、本発明のズームレンズの第１実施形態が組み込まれたカメラを示す図である。
【００１４】
図１（ａ）には、本発明のズームレンズの第１実施形態が組み込まれたカメラを前面斜め上から見た図が示されている。また、図１（ｂ）には、図１（ａ）に示すカメラを背面から見た図が示されている。
【００１５】
図１に示すカメラ１は、ロール状の写真フイルム上に写真撮影を行なうコンパクトフイルムカメラであり、図１（ａ）に示すように、このカメラ１の前面中央部には、複数のレンズ群からなる撮影レンズ１１０と、その撮影レンズ１１０を保持して伸縮しその撮影レンズ１１０の焦点距離を変化させるレンズ鏡胴１２０とを有するズームレンズ１００が備えられている。
【００１６】
また、このカメラ１の前面上部には、フラッシュ発光部１６と、測距部１７を構成するＡＦ投光窓１７ａおよびＡＦ受光窓１７ｂと、ファインダ対物窓１５と、測光光学部２０とが備えられている。さらに、このカメラ１の上面には、シャッタボタン１４が備えられている。
【００１７】
また、図１（ｂ）に示すように、このカメラ１の背面には、裏蓋１０と、視度調節ダイヤル４０と、ファインダ接眼窓４１と、ピント合わせが完了した時に光を発するＡＦランプ４２と、電源ボタン４３とが備えられている。
【００１８】
裏蓋１０には、ズームレンズ１００をテレ側（遠距離側）あるいはワイド側（近距離側）に動作させるズームボタン４４と、フイルム確認窓４５と、電池蓋４６とが備えられている。
【００１９】
また、裏蓋１０には、液晶モニタ部４７が備えられている。この液晶モニタ部４７は、オートフラッシュや赤目軽減フラッシュ等のフラッシュモードを表示するためのフラッシュモード表示部４７ａと、セルフタイマの有無を表示するためのセルフタイマモード表示部４７ｂと、オートフォーカス等のフォーカスモードを表示するためのフォーカスモード表示部４７ｃと、年・月・日・時・分等を表示するための日付モード表示部４７ｄと、電池の残存容量を表示するための電池残存表示部４７ｅと、撮影枚数を表示するための撮影枚数表示部４７ｆとを有する。
【００２０】
さらに、裏蓋１０には、各種のメニューやモードの選択を行なうための十字ボタン４８と、各種のメニューを表示したり十字ボタン４８で選択されたメニューやモードを決定するためのメニュー／決定ボタン４９も備えられている。
【００２１】
図２は、図１に示すカメラに組み込まれたズームレンズの断面図、図３は、図２に示すズームレンズの分解斜視図である。
【００２２】
図２，図３に示すズームレンズ１００は、本発明にいう複数のレンズ群の一例に相当するレンズ前群１１１およびレンズ後群１１２からなる撮影レンズ１１０を有する。レンズ前群１１１は、第１のサブレンズ群１１１＿１と第２のサブレンズ群１１１＿２から構成されている。これらサブレンズ群１１１＿１，１１１＿２の間には、シャッタ１３０が配置されている。また、第１のサブレンズ群１１１＿１は第１のレンズ枠１４１で保持されるとともに、第２のサブレンズ群１１１＿２は第２のレンズ枠１４２で保持されている。また、シャッタ１３０は、第２のレンズ枠１４２に支持されている。
【００２３】
一方、レンズ後群１１２は、レンズ１１２＿１とレンズ１１２＿２から構成されている。これらレンズ１１２＿１，１１２＿２は、レンズ枠１５１で保持されている。
【００２４】
また、ズームレンズ１００は、撮影レンズ１１０を保持して伸縮しその撮影レンズ１１０の焦点距離を変化させるレンズ鏡胴１２０を有する。
【００２５】
このレンズ鏡胴１２０には、移動筒１２１（本発明にいう第１の鏡胴部材の一例に相当）と、回転筒１２２と、直進筒１２３（本発明にいう他の第２の鏡胴部材の一例に相当）と、固定筒１２４とが備えられている。
【００２６】
移動筒１２１は、第１のレンズ枠１４１と第２のレンズ枠１４２との双方を、図２に示すＡ１，Ａ２の部分で直接に支持する。また、この移動筒１２１には、図３に示す、直進筒１２３の直進キー１２３ａ間に設けられた凹部１２３ｄが嵌合して、この移動筒１２１の光軸方向の移動を許可するとともに回転を禁止する、光軸方向に延び一端がこの移動筒１２１の端に達するキー１２１ａが設けられている。詳細には、このキー１２１ａは、移動筒１２１の内面である溝１２１ｄに立設されたリブ１２１ａ１，１２１ａ２から構成されており、このリブ１２１ａ１に上記凹部１２３ｄが嵌合している。さらに、この移動筒１２１の外周にはヘリコイド外ネジ１２１ｂが設けられている。
【００２７】
また、回転筒１２２の内周にはヘリコイド内ネジ１２２ａが設けられているとともに、その回転筒１２２の外周には被駆動ギア１２２ｂが設けられている。被駆動ギア１２２ｂは、図示しない駆動ギアに噛合されており、この駆動ギアが回転するとその回転駆動力が被駆動ギア１２２ｂに伝えられ、回転筒１２２が光軸を中心に回転するとともに光軸方向にも移動する。これに伴い、回転筒１２２のヘリコイド内ネジ１２２ａからの駆動力が移動筒１２１のヘリコイド外ネジ１２１ｂに伝達される。ここで、移動筒１２１に設けられたキー１２１ａを構成するリブ１２１ａ１に、直進筒１２３の凹部１２３ｄが嵌合しているため、この移動筒１２１は、光軸方向にのみ移動する。さらに、直進筒１２３、移動筒１２１、および第２のレンズ枠１４２について、図４、図５、および図６を参照して説明する。
【００２８】
図４は、図３に示す直進筒の斜視図、図５は、図３に示す移動筒の斜視図、および図６は、第２のレンズ枠の斜視図である。
【００２９】
図４に示す直進筒１２３には、前述した直進キー１２３ａおよび凹部１２３ｄが設けられている。また、図５に示す移動筒１２１には、前述したリブ１２１ａ１，１２１ａ２からなるキー１２１ａが設けられている。また、この移動筒１２１は、溝１２１ｄのうちの、リブ１２１ａ１，１２１ａ２間における溝１２１ｄの奥側に連絡し、その溝１２１ｄが回転方向に折れ曲がった形状を形成する凹部１２１ｃを有する。
【００３０】
さらに、図６に示す第２のレンズ枠１４２は、図５に示す溝１２１ｄに移動筒１２１の一端から嵌入し奥に移動して凹部１２１ｃに嵌入する凸部１４２ａを有し、この凸部１４２ａが凹部１２１ｃに嵌入することにより、第２のレンズ枠１４２が移動筒１２１に支持される。
【００３１】
本実施形態のズームレンズ１００は、レンズ前群１１１を構成する第１のサブレンズ群１１１＿１と第２のサブレンズ群１１１＿２との間にシャッタ１３０が配置されるとともに、第１のサブレンズ群１１１＿１を保持する第１のレンズ枠１４１と第２のサブレンズ群１１１＿２を保持する第２のレンズ枠１４２との双方が、直接に移動筒１２１に支持されてなる構成である。このため、ズームレンズ１００を製造するにあたり、シャッタ１３０が配置された第１，第２のサブレンズ群１１１＿１，１１１＿２を保持する第１，第２のレンズ枠１４１，１４２を直接に移動筒１２１に支持する工程のみで済む。従って、従来の、レンズ群をレンズ枠で保持してシャッタに取り付ける工程と、そのシャッタを鏡胴部材である移動筒に取り付ける工程とが必要とされる技術と比較し、レンズ前群１１１の、光軸方向に対する傾きや光軸とのズレを小さく抑えることができ、精度の高いズームレンズ１００を提供することができる。
【００３２】
また、本実施形態では、シャッタ１３０が、第２のレンズ枠１４２のみに支持されてなる構成であるため、組立工程が簡素化される。
【００３３】
さらに、本実施形態では、第２のレンズ枠１４２の凸部１４２ａを、溝１２１ｄの凹部１２１ｃに嵌入することにより、第２のレンズ枠１４２を移動筒１２１に支持する構成であるため、移動筒１２１の、溝１２１ｄ以外の部分に、この第２のレンズ枠１４２を支持するための空隙部分を設ける必要はなく、従って移動筒１２１および直進筒１２３の強度の低下を抑えたまま小型化を実現することができる。
【００３４】
図７は、図１に示すカメラの回路ブロック図である。
【００３５】
このカメラ１には、内蔵電池５０が実装されており、その内蔵電池５０からの電力は直接にドライバＩＣ５１に供給されるとともに、レギュレータ５２により安定化されてＣＰＵ５３に供給される。また、レギュレータ５２の出力電圧はリセット部５４でモニタされる。このリセット部５４は、レギュレータ５２の出力電圧が、ＣＰＵ５３が正常に動作することのできる最低電圧まで低下すると、このカメラ１の作動の暴走を防ぐためＣＰＵ５３の動作を停止させる役割りを担っている。
【００３６】
ＣＰＵ５３には、そのＣＰＵ５３で実行される各種プログラムやデータが格納されたＥＥＰＲＯＭ５５、内蔵電池５０の残存容量をモニタするためのバッテリチェック部５６、上述した液晶モニタ部４７、測光光学部２０、測距部１７、上述したズームレンズ１００をテレ側、あるいはワイド側に動作させるためのズームボタン４４等からなる操作子群７０、およびフラッシュ発光部１６が接続されており、ＣＰＵ５３は、その接続先に応じ、指示や情報を受け取り、あるいは制御を行なっている。また、ＣＰＵ５３には、そのＣＰＵ５３が動作するのに必要となる基本クロックを生成するための水晶発振子６２も接続されている。さらに、ＣＰＵ５３には、ドライバＩＣ５１も接続されており、ドライバＩＣ５１は、ＣＰＵ５３の指示を受けてシャッタ１３０の開閉駆動用の電動モータ５７，フイルム給送用の電動モータ５９，フォーカス動作用の電動モータ６０，ズーム動作用の電動モータ６１を駆動する。さらに、ドライバＩＣ５１には、シャッタ１３０が開き始めたタイミングを捉えるシャッタセンサ５８も接続されている。
【００３７】
ここで、ドライバＩＣ５１は、シャッタ１３０の開閉駆動用の電動モータ５７を駆動するためのシャッタ駆動ドライバを内蔵し、このシャッタ駆動ドライバは、ＣＰＵ５３からの指令を受けてシャッタ１３０の開閉駆動用の電動モータ５７を駆動し、シャッタセンサ５８により検出されたシャッタ１３０の開のタイミングから、測光光学部２０で測光された被写界の明るさの情報に応じたタイミングまで、シャッタ１３０を開いて閉じる。こうすることにより、ひと駒分の撮影が行なわれる。
【００３８】
また、ドライバＩＣ５１には、フイルム給送用の電動モータ５９、フォーカス動作用の電動モータ６０、およびズーム動作用の電動モータ６１を駆動するための、フイルム給送ドライバ，フォーカス動作用ドライバ，ズーム動作用ドライバが内蔵されている。
【００３９】
フイルム給送ドライバは、ＣＰＵ５３からの指示に応じて電動モータ５９を駆動し、例えば、ひと駒の撮影が終了すると写真フイルムをひと駒分巻き上げたり、最終駒まで撮影が終了すると写真フイルムをフイルムパトローネ（図示せず）内に巻き戻したりする。
【００４０】
また、フォーカス動作用ドライバは、測距部１７の測距結果に応じて電動モータ６０を駆動し、ピント調節のためのフォーカス動作を行なう。
【００４１】
さらに、ズーム動作用ドライバは、ズーム操作レバーの操作に応じたズームボタン４４のオン、オフがＣＰＵ５３で検出されたことによるＣＰＵ５３からの指示に応じて、電動モータ６１を駆動し、ズームレンズ１００をテレ側、あるいはワイド側に動作させる。
【００４２】
図８は、本発明のズームレンズの第２実施形態の分解斜視図である。
【００４３】
尚、図３に示すズームレンズ１００の構成要素と同じ構成要素には同一の符号を付し、異なる点について説明する。
【００４４】
図８に示すズームレンズ２００は、図１に示すズームレンズ１００と比較し、移動筒１２１の内面にキー溝１２１ｅが設けられている点が異なっている。詳細には、移動筒１２１は、直進筒１２３の直進キー１２３ａが嵌合して、この移動筒１２１の光軸方向の移動を許可するとともに回転を禁止する、光軸方向に延び一端がこの移動筒１２１の端に達するキー溝１２１ｅが設けられている。
【００４５】
図９は、図８に示す移動筒の斜視図である。
【００４６】
図９に示す移動筒１２１には、前述したキー溝１２１ｅが設けられている。また、この移動筒１２１には、キー溝１２１ｅの奥側に連絡し、そのキー溝１２１ｅが回転方向に折れ曲がった形状を形成する凹部１２１ｃを有する。この凹部１２１ｃに、前述した図６に示す第２のレンズ枠１４２の凸部１４２ａを嵌入することにより、第２のレンズ枠１４２を移動筒１２１に支持する。このようにして、移動筒１２１の、キー溝１２１ｅ以外の部分に、この第２のレンズ枠１４２を支持するための空隙部分を設けることなく、移動筒１２１および直進筒１２３の強度の低下を抑えたまま小型化を実現してもよい。
【００４７】
尚、上述した実施形態では、ロール状の写真フイルム上に写真撮影を行なうコンパクトフイルムカメラに、本発明を適用した例で説明したが、本発明は、これに限られるものではなく、例えば、被写体光を撮像素子で捉えて画像信号を生成するデジタルカメラ、携帯電話に搭載されるカメラ、フィルムをカメラ外部に送り出すとともに現像するインスタントカメラ、あるいは動画を撮影するビデオカメラのいずれにも、本発明を適用することができる。
【図面の簡単な説明】
【００４８】
【図１】本発明のズームレンズの第１実施形態が組み込まれたカメラを示す図である。
【図２】図１に示すカメラに組み込まれたズームレンズの断面図である。
【図３】図２に示すズームレンズの分解斜視図である。
【図４】図３に示す移動筒の斜視図である。
【図５】図３に示す直進筒の斜視図である。
【図６】第２のレンズ枠の斜視図である。
【図７】図１に示すカメラの回路ブロック図である。
【図８】本発明のズームレンズの第２実施形態の分解斜視図である。
【図９】図８に示す移動筒の斜視図である。
【符号の説明】
【００４９】
１  カメラ
１０  裏蓋
１４  シャッタボタン
１５  ファインダ対物窓
１６  フラッシュ発光部
１７  測距部
１７ａ  ＡＦ投光窓
１７ｂ  ＡＦ受光窓
２０  測光光学部
４０  視度調節ダイヤル
４１  ファインダ接眼窓
４２  ＡＦランプ
４３  電源ボタン
４４  ズームボタン
４５  フイルム確認窓
４６  電池蓋
４７  液晶モニタ部
４７ａ  フラッシュモード表示部
４７ｂ  セルフタイマモード表示部
４７ｃ  フォーカスモード表示部
４７ｄ  日付モード表示部
４７ｅ  電池残存表示部
４７ｆ  撮影枚数表示部
４８  十字ボタン
４９  メニュー／決定ボタン
５０  内蔵電池
５１  ドライバＩＣ
５２  レギュレータ
５３  ＣＰＵ
５４  リセット部
５５  ＥＥＰＲＯＭ
５６  バッテリチェック部
５７，５９，６０，６１  電動モータ
５８  シャッタセンサ
６２  水晶発振子
７０  操作子群
８０  筐体部
１００，２００  ズームレンズ
１１０  撮影レンズ
１１１  レンズ前群
１１１＿１  第１のサブレンズ群
１１１＿２  第２のサブレンズ群
１１２  レンズ後群
１１２＿１，１１２＿２  レンズ
１２０  レンズ鏡胴
１２１  移動筒
１２１ａ  キー
１２１ａ１，１２１ａ２  リブ
１２１ｂ  ヘリコイド外ネジ
１２１ｃ  凹部
１２１ｄ  溝
１２１ｅ  キー溝
１２２  回転筒
１２２ａ  ヘリコイド内ネジ
１２２ｂ  被駆動ギア
１２３  直進筒
１２３ａ  直進キー
１２３ｄ  凹部
１２４  固定筒
１３０  シャッタ
１４１  第１のレンズ枠
１４２  第２のレンズ枠
１４２ａ  凸部
１５１  レンズ枠
【図１】
2007193212.tif 000003
【図２】
2007193212.tif 000004
【図３】
2007193212.tif 000005
【図４】
2007193212.tif 000006
【図５】
2007193212.tif 000007
【図６】
2007193212.tif 000008
【図７】
2007193212.tif 000009
【図８】
2007193212.tif 000010
【図９】
2007193212.tif 000011